(57)【要約】【課題】照明対象物の周囲の光量を均一にすることである。【解決手段】導光体５０は、照明対象物の周囲に設けられ、光源から出射された光が入射される入光部５１と、入光部５１に入射された光が出射される出光部５６と、光源から入射された光を出光部５６の方向に直接配光し、少なくとも曲面形状を有する配光部５３と、を備える。入光部５１は、光源の光の出射面側に配置され、当該光源の光の出射面を少なくとも覆う厚さを有する。【選択図】図３
2020147273.tif 000002
【特許請求の範囲】
【請求項１】
光源から入射された光を照明対象物の周囲に導く導光体であって、
前記光源から出射された光が入射される入光部と、
前記照明対象物の周囲に設けられ、前記入射された光が出射される出光部と、
前記光源から入射された光を前記出光部の方向に直接配光し、少なくとも曲面形状を有する配光部と、を備え、
前記入光部は、前記光源の光の出射面側に配置され、当該光源の光の出射面を少なくとも覆う厚さを有する導光体。
【請求項２】
光を前記出光部の方向に反射させる反射部と、
前記入光部から入射された光を前記反射部に導く筒状の導光部と、を備え、
前記反射部は、前記導光部の軸に沿って螺旋状に形成されている請求項１に記載の導光体。
【請求項３】
前記反射部に設けられ、前記光源から入射された光を前記軸に沿って前記出光部の方向に反射させる切り欠き部を備える請求項２に記載の導光体。
【請求項４】
前記入光部は、曲面形状を有する請求項１から３のいずれか一項に記載の導光体。
【請求項５】
前記光源は、白色光を出射し、
前記導光体は、透明な材料に所望の色が着色された材料からなる請求項１から４のいずれか一項に記載の導光体。
【請求項６】
前記配光部は、スリット部を有する請求項１から５のいずれか一項に記載の導光体。
【請求項７】
請求項１から６のいずれか一項に記載の導光体と、
前記光源と、
前記照明対象物と、を備える発光装置。
【発明の詳細な説明】
【技術分野】
【０００１】
本発明は、導光体及び発光装置に関する。
【背景技術】
【０００２】
従来、自動車などの車両のダッシュボードなどに設けられたスイッチについて、夜間などの車内が暗い状況でも搭乗者が見やすくするために、照明対象物としての当該スイッチの周囲を発光する構成が知られている。例えば、エアコンの回転スイッチの背面の周囲に取り付ける導光体であって、回転スイッチを中心とする円周の一部に光源を有し、光源からの光を集光レンズ又は外向き突条部で屈折又は反射させ、再度傾斜面で反射させて前面から出光させ、マーク銘板を照明する導光体が知られている（特許文献１参照）。
【先行技術文献】
【特許文献】
【０００３】
【特許文献１】特許第４５８５３９０号公報
【発明の概要】
【発明が解決しようとする課題】
【０００４】
しかし、特許文献１の導光体では、光源から直接前面に出射させる光が調整できなく、回転スイッチの周囲に光量のむらが発生するおそれがあった。
【０００５】
本発明の課題は、照明対象物の周囲の光量を均一にすることである。
【課題を解決するための手段】
【０００６】
上記課題を解決するため、請求項１に記載の発明の導光体は、
光源から入射された光を照明対象物の周囲に導く導光体であって、
前記光源から出射された光が入射される入光部と、
前記照明対象物の周囲に設けられ、前記入射された光が出射される出光部と、
前記光源から入射された光を前記出光部の方向に直接配光し、少なくとも曲面形状を有する配光部と、を備え、
前記入光部は、前記光源の光の出射面側に配置され、当該光源の光の出射面を少なくとも覆う厚さを有する。
【０００７】
請求項２に記載の発明は、請求項１に記載の導光体において、
光を前記出光部の方向に反射させる反射部と、
前記入光部から入射された光を前記反射部に導く筒状の導光部と、を備え、
前記反射部は、前記導光部の軸に沿って螺旋状に形成されている。
【０００８】
請求項３に記載の発明は、請求項２に記載の導光体において、
前記反射部に設けられ、前記光源から入射された光を前記軸に沿って前記出光部の方向に反射させる切り欠き部を備える。
【０００９】
請求項４に記載の発明は、請求項１から３のいずれか一項に記載の導光体において、
前記入光部は、曲面形状を有する。
【００１０】
請求項５に記載の発明は、請求項１から４のいずれか一項に記載の導光体において、
前記光源は、白色光を出射し、
前記導光体は、透明な材料に所望の色が着色された材料からなる。
【００１１】
請求項６に記載の発明は、請求項１から５のいずれか一項に記載の導光体において、
前記配光部は、スリット部を有する。
【００１２】
請求項７に記載の発明の発光装置は、
請求項１から６のいずれか一項に記載の導光体と、
前記光源と、
前記照明対象物と、を備える。
【発明の効果】
【００１３】
本発明によれば、照明対象物の周囲の光量を均一にできる。
【図面の簡単な説明】
【００１４】
【図１】本発明の実施の形態のコネクターボックスの外観を示す斜視図である。
【図２】本実施の形態のコネクターボックスの内部構成を示す斜視図である。
【図３】（ａ）は、導光体を前面側から見た斜視図である。（ｂ）は、導光体を後面側から見た斜視図である。
【図４】ＬＥＤから入射された光の導光部内の経路を示す斜視図である。
【図５】（ａ）は、ＬＥＤから入射された光の反射経路を示す平面図である。（ｂ）は、ＬＥＤから入射された光の反射経路を示す拡大平面図である。
【図６】（ａ）は、本実施の形態の第１の配光部を有する導光部の光の経路を示す側面図である。（ｂ）は、第２の配光部を有する導光体の光の経路を示す側面図である。
【図７】（ａ）は、本実施の形態の配光部の光軸を示す側面図である。（ｂ）は、光軸が異なる配光部の光軸を示す側面図である。（ｃ）は、光軸が異なる配光部の光軸を示す側面図である。
【図８】（ａ）は、第１の配光部を有する導光体を用いた場合の発光部の発光の光量の分布を示す図である。（ｂ）は、第２の配光部を有する導光体を用いた場合の発光部の発光の光量の分布を示す図である。
【図９】第１の変形例のコネクターボックスの内部構成を示す斜視図である。
【図１０】（ａ）は、第３の配光部を有する導光体を示す側面図である。（ｂ）は、第４の配光部を有する導光体を示す側面図である。（ｃ）は、第５の配光部を有する導光体を示す側面図である。（ｄ）は、第６の配光部を有する導光体を示す側面図である。（ｅ）は、第２の入光部を有する導光体を示す側面図である。（ｆ）は、第３の入光部を有する導光体を示す側面図である。
【図１１】（ａ）は、第７の配光部を有する導光体を示す斜視図である。（ｂ）は、第７の配光部を有する導光体を示す背面図である。（ｃ）は、第７の配光部を有する導光体を示す側面図である。
【図１２】（ａ）は、第８の配光部を有する導光体を示す斜視図である。（ｂ）は、第８の配光部を有する導光体を示す背面図である。（ｃ）は、第８の配光部を有する導光体を示す側面図である。
【図１３】（ａ）は、第９の配光部を有する導光体を後面側から見た斜視図である。（ｂ）は、第９の配光部を有する導光体を示す上面図である。
【図１４】（ａ）は、第１０の配光部を有する導光体を後面側から見た斜視図である。（ｂ）は、第１０の配光部を有する導光体を示す上面図である。
【発明を実施するための形態】
【００１５】
以下、添付図面を参照して本発明に係る実施の形態及び第１、第２の変形例を順に詳細に説明する。ただし、発明の範囲は、図示例に限定されない。
【００１６】
（実施の形態）
図１〜図８を参照して、本発明に係る実施の形態を説明する。まず、図１、図２を参照して、本実施の形態のコネクターボックス１を説明する。図１は、コネクターボックス１の外観を示す斜視図である。図２は、コネクターボックス１の内部構成を示す斜視図である。
【００１７】
図１に示すように、本実施の形態の発光装置としてのコネクターボックス１は、自動車などの車両のインストルメントパネルに取り付けられ、照明対象物としてのＵＳＢ（Universal Serial Bus）の差込部３０の差込口を有し、差込口に接続されたスマートフォンなどのＵＳＢ機器に充電や、通信中継などの機能を提供する。コネクターボックス１は、筐体部１０を備える。筐体部１０は、内部に各種部品を格納する。
【００１８】
コネクターボックス１において、筐体部１０からは、差込部３０と、拡散板２０の一部と、が前面側（−ｙ方向側）から露出している。拡散板２０のうち、筐体部１０の前面側から露出している部分を発光部２１とする。発光部２１は、発光され、夜など、車両内が暗い状態にあっても、搭乗者の視線を発光により差込部３０に案内可能である。
【００１９】
図２に示すように、筐体部１０を外したコネクターボックス１は、内部構成として、拡散板２０と、差込部３０と、基板４０と、導光体５０と、光源としてのＬＥＤ（Light Emitting Diode）６０と、を備える。
【００２０】
差込部３０及びＬＥＤ６０は、基板４０上に実装されている。基板４０は、ＰＣＢ（Printed Circuit Board）であり、差込部３０及びＬＥＤ６０に接続された回路パターンが配線され、各種回路素子が実装されている。ＬＥＤ６０は、白色発光ダイオードであり、例えば蛍光体方式のものとする。なお、ＬＥＤ６０として、例えば、赤、青、緑の各ＬＥＤを有し、３色の光を混色して白色光を出力するＬＥＤを用いてもよい。また、光源は、ＬＥＤに限定されるものではない。
【００２１】
導光体５０は、ポリカーボネート、アクリルなどの透明の樹脂からなり、ＬＥＤ６０から出射された光を通過させながら、差込部３０の差込口（前面方向（−ｙ方向））に導く機能を有する筒状の部品である。このため、導光体５０は、ＬＥＤ６０の上側（＋ｚ方向側）かつ差込部３０の周囲に配置されている。
【００２２】
拡散板２０は、差込部３０の差込口の周囲に設けられ、導光体５０で導かれた光を発光部２１から拡散して（光をぼやかして）発光部２１から出光する。拡散板２０は、例えば、ポリカーボネートなどの透明樹脂にセラミックスなどが混ぜられた拡散グレードの材料からなる。
【００２３】
ここで、図３（ａ）及び図３（ｂ）を参照して、導光体５０を説明する。図３（ａ）は、導光体５０を前面側から見た斜視図である。図３（ｂ）は、導光体５０を後面側から見た斜視図である。
【００２４】
図３（ａ）及び図３（ｂ）に示すように、導光体５０は、入光部５１と、導光部５２と、配光部５３と、反射部５４と、切り欠き部５５と、出光部５６と、突起部５７と、を一体的に有する。入光部５１は、ＬＥＤ６０から出射された光が入射される部分であり、例えばＬＥＤ６０の上面と平行になる平面で構成されている。導光部５２は、ｙ軸方向を軸とした略筒状に形成され、入光部５１から入射された光を反射部５４及び切り欠き部５５に導き、また反射部５４及び切り欠き部５５で反射された光を出光部５６に導く。
【００２５】
配光部５３は、ＬＥＤ６０の前面側（−ｙ方向側）と対向する位置に設けられ、曲面形状としてｘ方向に延在する凹シリンドリカルレンズ形状を有し、ＬＥＤ６０から入射された光を直接出光部５６の方向に配光する。反射部５４は、導光部５２の後面側（＋ｙ方向側）に設けられ、−ｙ方向を軸として螺旋状に形成され、導光部５２を介して入光部５１から入射された光を出光部５６側に反射する反射面である。切り欠き部５５は、反射部５４上に形成され、導光部５２により導かれた光を出光部５６に垂直な方向（−ｙ方向）に反射する反射面である。出光部５６は、導光部５２の前面側（−ｙ方向側）に設けられ、拡散板２０が取り付けられ、配光部５３で配光された光と、導光部５２を介して反射部５４及び切り欠き部５５で反射された光とを拡散板２０に出射する。突起部５７は、導光体５０の取り付け時に把持される。
【００２６】
ついで、図４及び図５を参照して、導光体５０における光の反射経路を説明する。図４は、ＬＥＤ６０から入射された光の導光部５２内の経路を示す斜視図である。図５（ａ）は、ＬＥＤ６０から入射された光の反射経路を示す平面図である。図５（ｂ）は、ＬＥＤ６０から入射された光の反射経路を示す拡大平面図である。
【００２７】
図４に示すように、ＬＥＤ６０から出射された光は、導光体５０の入光部５１に入射され、図上の矢印で示されるように、ｘｚ平面で導光部５２内を回るように導かれる。図５（ａ）に示すように、上面から見て、入光部５１は、少なくともＬＥＤ６０の上面の光出射面を覆うように、厚さ（及び形状）並びに配置が設定されている。
【００２８】
図５（ａ）及び図５（ｂ）に示すように、反射部５４が螺旋状であり切り欠き部５５があるため、入光部５１から入射された光は、反射部５４及び切り欠き部５５により、導光部５２内で少しずつ反射され前面方向（−ｙ方向）に出射される。このため、出光部５６に均一に光が入射され、拡散板２０の発光部２１で均一に発光される。
【００２９】
つぎに、図６及び図７を参照して、配光部５３の機能及び設定を説明する。図６（ａ）は、本実施の形態の配光部５３を有する導光体５０の光の経路を示す側面図である。図６（ｂ）は、平面形状の配光部５３Ａを有する導光体５０Ａの光の経路を示す側面図である。図７（ａ）は、本実施の形態の配光部５３の光軸Ｌ５３を示す側面図である。図７（ｂ）は、配光部５３ａの光軸Ｌ５３ａを示す側面図である。図７（ｃ）は、配光部５３ｂの光軸Ｌ５３ｂを示す側面図である。
【００３０】
図４に示すように、出光部５６のうちのＬＥＤ６０に近い部分は、反射部５４及び切り欠き部５５を介することなく、ＬＥＤ６０から出射される光が直接届くことになるため、導光部５２のみでは光量の調整が難しい。このため、導光体５０は、配光部５３を有する。
【００３１】
図６（ｂ）に示すように、通常、導光体においてＬＥＤ６０から出射される光が直接入光される部分は、平面形状の配光部５３Ａとして形成され、配光部５３Ａを有する導光体を導光体５０Ａを用いるものとする。図６（ｂ）において、ＬＥＤ６０から出射される光を点線で表し、配光部５３Ａを介する出光部５６への配光の広がりを破線で表す。この出光部５６への配光の広がりの角度が小さいため、出光部５６及び拡散板２０の発光部２１で光量のむらが発生するおそれがある。
【００３２】
図６（ａ）に示すように、本実施の形態の導光体５０においてＬＥＤ６０から出射される光が、レンズ形状の配光部５３により屈折されて配光される。配光部５３は、出光部５６から入光部５１への方向（＋ｙ方向）に凹レンズ形状を有する。このように、配光部５３を有する導光体５０を用いる。図６（ａ）において、ＬＥＤ６０から出射される光を点線で表し、配光部５３を介する出光部５６への配光の広がりを破線で表す。配光部５３は、配光部５３Ａに比べて、出光部５６への配光の広がりの角度を大きく調整できる。このため、出光部５６（拡散板２０の発光部２１）で光量を均一にするように配光できる。
【００３３】
図７（ａ）に示すように、本実施の形態の導光体５０において、配光部５３の光軸Ｌ５３は、ｙ軸から上方向（＋ｚ方向）に傾いている。ただし、本実施の形態の導光体５０において、出光部５６（拡散板２０の発光部２１）で光量をより均一にするために、図７（ｂ）に示すように、導光体５０において、配光部５３を配光部５３ａとして設計してもよい。配光部５３ａの光軸Ｌ５３ａは、ｙ軸と平行な方向である。また、図７（ｃ）に示すように、導光体５０において、配光部５３を配光部５３ｂとして設計してもよい。配光部５３ｂの光軸Ｌ５３ｂは、前面方向側（−ｙ方向側）がｙ軸から下方向（−ｚ方向）に傾いている。
【００３４】
ついで、図８を参照して、コネクターボックス１の拡散板２０の発光部２１の発光の均一化を説明する。図８（ａ）は、配光部５３を有する導光体５０を用いた場合の発光部２１の発光の光量の分布を示す図である。図８（ｂ）は、配光部５３Ａを有する導光体５０Ａを用いた場合の発光部２１の発光の光量の分布を示す図である。
【００３５】
図８（ａ）に、コネクターボックス１の拡散板２０の前面側から見た発光部２１において、導光体５０を用いた場合の光量のシミュレーション結果を示す。図８（ａ）では、発光の光量が多くなるほど、黒→…→グレー→…→白のように段階的に黒から白になるように表されるものとし、また発光部２１の右側近傍にＬＥＤ６０が配置されているものとし、図８（ｂ）でも同様である。
【００３６】
導光体５０を用いた場合のコネクターボックス１においては、発光部２１において発光の光量（輝度）が均一化されている。また、図８（ｂ）に、コネクターボックス１の拡散板２０の前面側から見た発光部２１において、図６（ｂ）に示す導光体５０Ａを用いた場合の光量のシミュレーション結果を示す。導光体５０Ａを用いた場合のコネクターボックス１においては、レンズ形状の配光部５３がないため、発光部２１において、ＬＥＤ６０の近傍の光量が特に多く、光量が均一化されていない。なお、導光体５０Ａを用いなくても、配光部による配光が適切に行われない場合に、図８（ｂ）に示す結果と同様になるおそれがある。
【００３７】
本実施の形態の導光体５０において、図７（ａ）に示す配光部５３、図７（ｂ）に示す配光部５３ａ、図７（ｃ）に示す配光部５３ｂのように光軸方向を変え、またレンズ径を変化させ、それぞれで図８（ａ）、図８（ｂ）と同様に、発光部２１の光量のシミュレーションを行うことで、光量が最も均一化される形状の配光部を採用するのが好ましい。
【００３８】
以上、本実施の形態によれば、導光体５０は、光源としてのＬＥＤ６０から出射された光が入射される入光部５１と、照明対象物としてのＵＳＢの差込部３０の周囲に設けられ、入光部５１から入射された光が出射される出光部５６と、ＬＥＤ６０から入射された光を出光部５６の方向に直接配光し、少なくともレンズ形状を有する配光部５３と、を備える。入光部５１は、ＬＥＤ６０の光の出射面側に配置され、ＬＥＤ６０の光の出射面を少なくとも覆う厚さ（及び形状）を有する。コネクターボックス１は、導光体５０と、ＬＥＤ６０と、ＵＳＢの差込部３０と、を備える。
【００３９】
このため、配光部５３の配光により、出光部５６におけるＬＥＤ６０近傍の光量を調整でき、ＵＳＢの差込部３０の周囲の光量を均一にできるとともに、入光部５１により、ＬＥＤ６０からの光の漏れを防ぐことができるとともに、入光部５１の樹脂が厚くなるので、導光体５０の成形性をよくすることができる。
【００４０】
また、導光体５０は、光を出光部５６の方向に反射させる反射部５４と、入光部５１から入射された光を反射部５４に導く筒状の導光部５２と、を備える。反射部５４は、導光部５２の軸（ｙ軸）に沿って螺旋状に形成されている。このため、反射部５４により、入光部５１から入射された光を少しずつ反射して出光部５６側に出射でき、ＵＳＢの差込部の周囲の光量をより均一にできる。
【００４１】
また、導光体５０は、反射部５４に設けられ、ＬＥＤ６０から入射された光を導光部５２の軸に沿って出光部５６の方向に反射させる切り欠き部５５を備える。このため、切り欠き部５５により、入光部５１から入射された光を反射して出光部５６の方向に確実に出射でき、ＵＳＢの差込部３０の周囲の光量をさらに均一にできる。
【００４２】
（第１の変形例）
図９を参照して、上記実施の形態の第１の変形例を説明する。図９は、本変形例のコネクターボックス２の内部構成を示す斜視図である。
【００４３】
コネクターボックスは、モデル展開などにより、白色とは異なる色で光らせる必要があるケースがある。上記実施の形態のＬＥＤ６０は白色であったが、白色と異なる色で発光させる場合に、ＬＥＤ６０に代えて例えば赤、青、緑のマルチカラーのＬＥＤを使用して各色のＬＥＤ素子の発光量を調整するか、所望の色の発光をするＬＥＤを使用する方法が考えられる。しかし、マルチカラーのＬＥＤは各色のＬＥＤ素子の位置に差があり、配光が色によって異なるため、導光体５０の設計変更が必要となる。特に、２色以上のＬＥＤ素子を同時に発光する場合に、出射光にむらが出るおそれがある。また、所望の色の発光をするＬＥＤでは、配光が変わるため、同様の問題が発生するおそれがある。このため、本変形例では、コネクターボックス２を用いる。
【００４４】
本変形例のコネクターボックス２は、コネクターボックス１と同様に、筐体部１０を有するものとし、外観がコネクターボックス１と同様であるものとする。図９に示すように、筐体部１０を外したコネクターボックス１は、内部構成として、拡散板２０と、差込部３０と、基板４０と、導光体５０Ｂと、ＬＥＤ６０と、を備える。
【００４５】
導光体５０Ｂは、ポリカーボネート、アクリルなどの透明の樹脂であって、所望の発光の色（例えば、黄色）に対応する着色が施された樹脂からなる。ＬＥＤ６０は、白色のＬＥＤである。つまり、導光体５０Ｂに入射されるＬＥＤ６０からの白色の光は、導光体５０Ｂを通過することにより、所望の色（黄色）の光として出射される。
【００４６】
以上、本変形例によれば、光源としてのＬＥＤ６０は、白色光を出射する。導光体５０Ｂは、透明な材料に所望の色が着色された材料からなる。このため、所望の色の光を照明対象物の周囲に出射する場合に、ＬＥＤ６０の出射光の色（波長）を変えないので、ＬＥＤ６０の配光が変わらず、導光体の設計変更が不要となり、導光体５０Ｂにより、ＵＳＢの差込部３０の周囲の所望の色の光量を均一にできる。
【００４７】
（第２の変形例）
図１０（ａ）〜図１４（ｂ）を参照して、上記実施の形態のコネクターボックス１の導光体５０の配光部５３又は入光部５１の変形例を説明する。図１０（ａ）は、配光部５３Ｃを有する導光体５０Ｃを示す側面図である。図１０（ｂ）は、配光部５３Ｄを有する導光体５０Ｄを示す側面図である。図１０（ｃ）は、配光部５３Ｅを有する導光体５０Ｅを示す側面図である。図１０（ｄ）は、配光部５３Ｆを有する導光体５０Ｆを示す側面図である。図１０（ｅ）は、入光部５１Ｇを有する導光体５０Ｇを示す側面図である。図１０（ｆ）は、入光部５１Ｈを有する導光体５０Ｈを示す側面図である。図１１（ａ）は、配光部５３Ｉを有する導光体５０Ｉを示す斜視図である。図１１（ｂ）は、配光部５３Ｉを有する導光体５０Ｉを示す背面図である。図１１（ｃ）は、配光部５３Ｉを有する導光体５０Ｉを示す側面図である。図１２（ａ）は、配光部５３Ｊを有する導光体５０Ｊを示す斜視図である。図１２（ｂ）は、配光部５３Ｊを有する導光体５０Ｊを示す背面図である。図１２（ｃ）は、配光部５３Ｊを有する導光体５０Ｊを示す側面図である。図１３（ａ）は、配光部５３Ｋを有する導光体５０Ｋを後面側から見た斜視図である。図１３（ｂ）は、配光部５３Ｋを有する導光体５０Ｋを示す上面図である。図１４（ａ）は、配光部５３Ｌを有する導光体５０Ｌを後面側から見た斜視図である。図１４（ｂ）は、配光部５３Ｌを有する導光体５０Ｌを示す上面図である。
【００４８】
上記実施の形態のコネクターボックス１において、導光体５０を、図１０（ａ）に示す導光体５０Ｃに代える構成としてもよい。導光体５０Ｃは、入光部５１と、配光部５３Ｃと、を有する。配光部５３Ｃは、ＬＥＤ６０の前面側（−ｙ方向側）と対向する位置に設けられ、ＬＥＤ６０側（＋ｙ方向側）に曲面形状としてｘ方向に延在する凸シリンドリカルレンズ形状を有する。配光部５３は、凹レンズ形状であるため、ＬＥＤ６０からの光をｚ方向に広げる機能を有するが、配光部５３Ｃは、凸レンズ形状であるため、ＬＥＤ６０からの光をｚ方向に絞る機能を有する。
【００４９】
また、上記実施の形態のコネクターボックス１において、導光体５０を、図１０（ｂ）に示す導光体５０Ｄに代える構成としてもよい。導光体５０Ｄは、入光部５１と、配光部５３Ｄと、を有する。配光部５３Ｄは、ＬＥＤ６０の前面側（−ｙ方向側）と対向する位置に設けられ、スリット部５３１Ｄと、凹レンズ部５３２Ｄと、を有する。スリット部５３１Ｄは、出光部５６側及びＬＥＤ６０側にレンズ形状がないスリットである。凹レンズ部５３２Ｄは、ＬＥＤ６０側（＋ｙ方向側）に曲面形状としての凹レンズ形状を有する。配光部５３Ｄは、凹レンズ部５３２Ｄ及びスリット部５３１Ｄにより、ＬＥＤ６０からの光を２回広げる機能を有する。
【００５０】
また、上記実施の形態のコネクターボックス１において、導光体５０を、図１０（ｃ）に示す導光体５０Ｅに代える構成としてもよい。導光体５０Ｅは、入光部５１と、配光部５３Ｅと、を有する。配光部５３Ｅは、ＬＥＤ６０の前面側（−ｙ方向側）と対向する位置に設けられ、スリット部５３１Ｅと、凸レンズ部５３２Ｅと、を有する。スリット部５３１Ｅは、ＬＥＤ６０側（＋ｙ方向側）に凸レンズ形状を有するスリットである。凸レンズ部５３２Ｅは、ＬＥＤ６０側に凸レンズ形状を有する。配光部５３Ｅは、凸レンズ部５３２Ｅ及びスリット部５３１Ｅの凸レンズ形状により、ＬＥＤ６０からの光を大きく絞り、スリット部５３１Ｅにより光を広げる機能を有する。
【００５１】
また、上記実施の形態のコネクターボックス１において、導光体５０を、図１０（ｄ）に示す導光体５０Ｆに代える構成としてもよい。導光体５０Ｆは、入光部５１と、配光部５３Ｆと、を有する。配光部５３Ｆは、ＬＥＤ６０の前面側（−ｙ方向側）と対向する位置に設けられ、スリット部５３１Ｆと、凹レンズ部５３２Ｆと、を有する。スリット部５３１Ｆは、ＬＥＤ６０側に凹レンズ形状を有するスリットである。凹レンズ部５３２Ｆは、ＬＥＤ６０側に凹レンズ形状を有する。配光部５３Ｆは、凹レンズ部５３２Ｆ及びスリット部５３１Ｆの凹レンズ形状により、ＬＥＤ６０からの光を大きく広げ、スリット部５３１Ｆにより光をさらに広げる機能を有する。
【００５２】
また、上記実施の形態のコネクターボックス１において、導光体５０を、図１０（ｅ）に示す導光体５０Ｇに代える構成としてもよい。導光体５０Ｇは、入光部５１Ｇと、配光部５３と、を有する。入光部５１Ｇは、ＬＥＤ６０の上側（＋ｚ方向側）に設けられ、−ｚ方向に曲面形状としてｘ方向に延在する凹シリンドリカルレンズ形状を有する。入光部５１Ｇは凹シリンドリカルレンズ形状を有するため、ＬＥＤ６０からの光をｙ方向に広げて反射部５４及び切り欠き部５５に反射させる機能を有する。
【００５３】
また、上記実施の形態のコネクターボックス１において、導光体５０を、図１０（ｆ）に示す導光体５０Ｈに代える構成としてもよい。導光体５０Ｈは、入光部５１Ｈと、配光部５３と、を有する。入光部５１Ｈは、ＬＥＤ６０の上側（＋ｚ方向側）に設けられ、−ｚ方向に曲面形状としてｘ方向に延在する凸シリンドリカルレンズ形状を有する。入光部５１Ｈは凸シリンドリカルレンズ形状を有するため、ＬＥＤ６０からの光をｙ方向に絞って反射部５４及び切り欠き部５５に反射させる機能を有する。
【００５４】
また、配光部は、ｘ方向から見た凹凸形状に限定されるものではなく、ｚ方向から見た凹凸形状、又はｚ方向及びｘ方向から見た凹凸形状の曲面形状を有する構成としてもよい。例えば、上記実施の形態のコネクターボックス１において、導光体５０を、図１１（ａ）、図１１（ｂ）、図１１（ｃ）に示す導光体５０Ｉに代える構成としてもよい。導光体５０Ｉは、入光部５１と、配光部５３Ｉと、を有する。配光部５３Ｉは、ＬＥＤ６０の前面側（−ｙ方向側）と対向する位置に設けられ、凸レンズ部５３２Ｉを有する。凸レンズ部５３２Ｉは、ＬＥＤ６０側（＋ｙ方向側）に曲面形状としての凸球面レンズ形状を有する。配光部５３Ｉは、凸レンズ部５３２Ｉの凸球面レンズ形状により、ＬＥＤ６０からの光をｘｚ平面方向に絞る機能を有する。
【００５５】
また、上記実施の形態のコネクターボックス１において、導光体５０を、図１２（ａ）、図１２（ｂ）、図１２（ｃ）に示す導光体５０Ｊに代える構成としてもよい。導光体５０Ｊは、入光部５１と、配光部５３Ｊと、を有する。配光部５３Ｊは、ＬＥＤ６０の前面側（−ｙ方向側）と対向する位置に設けられ、凹レンズ部５３２Ｊを有する。凹レンズ部５３２Ｊは、ＬＥＤ６０側（＋ｙ方向側）に曲面形状としての凹球面レンズ形状を有する。配光部５３Ｊは、凹レンズ部５３２Ｊの凹球面レンズ形状により、ＬＥＤ６０からの光をｘｚ平面方向に広げる機能を有する。
【００５６】
また、上記実施の形態のコネクターボックス１において、導光体５０を、図１３（ａ）、図１３（ｂ）に示す導光体５０Ｋに代える構成としてもよい。導光体５０Ｋは、入光部５１と、配光部５３Ｋと、を有する。配光部５３Ｋは、ＬＥＤ６０の前面側（−ｙ方向側）と対向する位置に設けられ、凸レンズ部５３２Ｋを有する。凸レンズ部５３２Ｋは、ＬＥＤ６０側（＋ｙ方向側）に曲面形状としてｚ方向に延在する凸シリンドリカルレンズ形状を有する。配光部５３Ｋは、凸レンズ部５３２Ｋの凸シリンドリカルレンズ形状により、ＬＥＤ６０からの光をｘ方向に絞る機能を有する。
【００５７】
また、上記実施の形態のコネクターボックス１において、導光体５０を、図１４（ａ）、図１４（ｂ）に示す導光体５０Ｌに代える構成としてもよい。導光体５０Ｌは、入光部５１と、配光部５３Ｌと、を有する。配光部５３Ｌは、ＬＥＤ６０の前面側（−ｙ方向側）と対向する位置に設けられ、凹レンズ部５３２Ｌを有する。凹レンズ部５３２Ｌは、ＬＥＤ６０側（＋ｙ方向側）に曲面形状としてｚ方向に延在する凹シリンドリカルレンズ形状を有する。配光部５３Ｊは、凹レンズ部５３２Ｊの凹シリンドリカルレンズ形状により、ＬＥＤ６０からの光をｘ方向に広げる機能を有する。
【００５８】
なお、配光部の曲面形状は、凸又は凹の、球面レンズ形状、シリンドリカルレンズ形状に限定されるものではなく、凸又は凹の、楕円体の面、非球面のレンズ形状など、他の曲面形状としてもよい。また、入光部の曲面形状は、凸又は凹の、シリンドリカルレンズ形状に限定されるものではなく、他の曲面形状としてもよい。
【００５９】
以上、本変形例によれば、導光体５０Ｄ，５０Ｅ，５０Ｆの配光部５３Ｄ，５３Ｅ，５３Ｆは、スリット部５３１Ｄ，５３１Ｅ，５３１Ｆを有する。このため、スリット部５３１Ｄ，５３１Ｅ，５３１Ｆにより、ＬＥＤ６０から入射された光を広げるので、光を広げる効果を高めることができる。特に、スリット部５３１Ｅ，５３１Ｆは、光軸の一方の側に凸形状、凹形状を有するので、光を絞る又は広げる機能を高めることができる。なお、スリット部の光軸の出光部５６側や、両側にレンズ形状などの曲面形状を形成する構成としてもよい。
【００６０】
また、導光体５０Ｇ，５０Ｈの入光部５１Ｇ，５１Ｈは、凹、凸のシリンドリカルレンズ形状を有する。このため、ＬＥＤ６０から入射された光を広げ又は絞って反射部５４及び切り欠き部５５に導くことができる。
【００６１】
また、導光体５０Ｃの配光部５３Ｃは、凸シリンドリカルレンズ形状を有する。導光体５０Ｉの配光部５３Ｉは、凸球面レンズ形状の凸レンズ部５３２Ｉを有する。導光体５０Ｊの配光部５３Ｊは、凹球面レンズ形状の凹レンズ部５３２Ｊを有する。導光体５０Ｋの配光部５３Ｋは、凸シリンドリカルレンズ形状の凸レンズ部５３２Ｋを有する。導光体５０Ｌの配光部５３Ｌは、凹シリンドリカルレンズ形状の凹レンズ部５３２Ｌを有する。このため、ＬＥＤ６０から入射された光を広げ又は絞って前面方向側（−ｙ方向側）に導くことができる。
【００６２】
なお、上記実施の形態及び変形例における記述は、本発明に係る導光体の一例であり、これに限定されるものではない。例えば、上記実施の形態及び変形例の少なくとも２つの構成を適宜組み合わせる構成としてもよい。
【００６３】
また、上記実施の形態及び変形例では、照明対象物が車両内のＵＳＢの差込部３０であり、その周囲の発光部２１を発光する構成を説明したが、これに限定されるものではない。車両用の照明対象物として、ＨＤＭＩ（登録商標）（High-Definition Multimedia Interface）、イヤホンなど、他の規格や種類のコネクターの差込口、エンジンスタータースイッチ（ボタン）、エンジンスターターのキーの差込口などの周囲を発光する構成としてもよい。また、車両以外用の照明対象物としては、ＰＣ（Personal Computer）などのＵＳＢなどのコネクターの差込口、商用電源のプラグの差込口、ドアのキー差込口、などとしてもよい。
【００６４】
また、上記実施の形態及び変形例では、光源として、ＬＥＤを用いる構成を説明したが、これに限定されるものではない。光源としては、ＬＤ（LASER Diode）、ＥＬ（ElectroLuminescence）の光源、電球、蛍光管など、他の光源としてもよい。
【００６５】
その他、上記実施の形態及び変形例におけるコネクターボックス１，２の細部構成及び詳細動作に関しても、本発明の趣旨を逸脱しない範囲で適宜変更可能である。
【符号の説明】
【００６６】
１，２  コネクターボックス
１０  筐体部
２０  拡散板
３０  差込部
４０  基板
５０，５０Ａ，５０Ｂ，５０Ｃ，５０Ｄ，５０Ｅ，５０Ｆ，５０Ｇ，５０Ｈ，５０Ｉ，５０Ｊ，５０Ｋ，５０Ｌ  導光体
５１，５１Ｇ，５１Ｈ  入光部
５２  導光部
５３，５３ａ，５３ｂ，５３Ａ，５３Ｃ，５３Ｄ，５３Ｅ，５３Ｆ，５３Ｉ，５３Ｊ，５３Ｋ，５３Ｌ  配光部
５３１Ｄ，５３１Ｅ，５３１Ｆ  スリット部
５３２Ｄ，５３２Ｆ，５３２Ｊ，５３２Ｌ  凹レンズ部
５３２Ｅ，５３２Ｉ，５３２Ｋ  凸レンズ部
５４  反射部
５５  切り欠き部
５６  出光部
５７  突起部
６０  ＬＥＤ
【図１】
2020147273.tif 000003
【図２】
2020147273.tif 000004
【図３】
2020147273.tif 000005
【図４】
2020147273.tif 000006
【図５】
2020147273.tif 000007
【図６】
2020147273.tif 000008
【図７】
2020147273.tif 000009
【図８】
2020147273.tif 000010
【図９】
2020147273.tif 000011
【図１０】
2020147273.tif 000012
【図１１】
2020147273.tif 000013
【図１２】
2020147273.tif 000014
【図１３】
2020147273.tif 000015
【図１４】
2020147273.tif 000016